(57)【特許請求の範囲】
【請求項１】
上方にて壁面に支持され、支点を中心に回動自在なフレームと、壁面に対して回動自在となり、前記フレームを回動させるアームとを備えたオーニング装置において、
前記フレームの内に、前記フレームに沿って設けられた自軸の中心に回動自在なシャフトと、
前記アームと固定され、前記シャフト上を噛合しつつ移動する移動部材と、
前記フレームに対して前記シャフトの回動方向と同方向に開閉自在な複数のスラットとを備え、
前記フレームの側面に溝部を形成し、該溝部内を前記アームの端部が前記移動部材により移動することで、前記フレームが壁面に対して回動することを特徴とするオーニング装置。
【請求項２】
前記移動部材は、前記シャフトの回動により前記フレームに沿って移動する請求項１に記載のオーニング装置。
【請求項３】
前記シャフトは、前記フレームに固定されたモータにより回動する請求項１又は請求項２に記載のオーニング装置。
【請求項４】
前記モータは、前記フレーム内の上部に固定されている請求項３に記載のオーニング装置。
【請求項５】
前記アームは窓枠に対して左右一対で設けられ、両アームを繋ぐ連結部を有する請求項１乃至請求項４のいずれか一項に記載のオーニング装置。
【請求項６】
前記溝部は、前記フレームの両側に設けられ、前記連結部の両端が両側の前記溝部に挿通されている請求項５に記載のオーニング装置。
【発明の詳細な説明】
【技術分野】
【０００１】
本発明は、遮光や採光を行うオーニング装置に関するものである。
【背景技術】
【０００２】
特許文献１には、面格子を有する窓装置について開示されている。この窓装置は、建物の窓枠に配置された回動自在な複数のスラット（ルーバー）を有する面格子を、リニアアクチュエータによって駆動するリンク機構を用いて回動させる構造となっている。また、この窓装置のスラットは、面格子枠に対して水平方向に延びる横長の形状である。このリンク機構は、窓装置が固定される固定枠に取り付けられた取付部材に一端が枢着された第１リンクと、面格子に取り付けられた取付部材に一端が枢着された第２リンクとを回動自在に連結し、リニアアクチュエータの伸縮動作する可動体により、面格子を開閉する構成となっている。このとき、リニアアクチュエータの出力となる可動体が伸張作動すると面格子は開動作し、可動体が収縮動作すると面格子は閉動作する。
【０００３】
この窓装置に関する機構は、光の遮光や採光をするためのオーニング装置の回動動作に適用可能である。
【先行技術文献】
【特許文献】
【０００４】
【特許文献１】特開２００９−２８７１９２号公報
【発明の概要】
【発明が解決しようとする課題】
【０００５】
上記した面格子を有する窓装置は、火災発生等の緊急時に、窓枠に取り付けられた面格子の開閉動作を自動的に行えるようにしている。この様に防犯対策を目的とした面格子を有している窓装置は、緊急時の開閉を想定しているため、リンク機構による開閉手段には、外部からの力に対してリンク機構の動作を固定し、面格子の開閉を防止する防犯対策がされていない。このため、採光や遮光を行うオーニング装置の場合は、面格子部分の開閉動作を行うことを前提とするため、上記したリンク機構による開閉手段では、面格子の開閉方向に外部から力が加わるとリニアアクチュエータの動きに支障をきたすことやリンク機構が曲がってしまう等の影響が発生する。よって、この様なリンク機構では、防犯対策を目的とした面格子を有するオーニング装置に適用しても十分に防犯性を保つことができない。さらに、面格子に対して水平方向に延びる横型のスラットであるため、オーニングとして採光や遮光を行う際は、太陽の高度に対して調整可能であるが、左右への移動に対して調整が不可能である。
【０００６】
したがって、本発明は、このような問題点に鑑みてなされたものであり採光及び遮光を調整可能で防犯性に優れたオーニング装置を提供する。
【課題を解決するための手段】
【０００７】
上記の課題を解決するために講じた手段は、上方にて壁面に支持され、支点を中心に回動自在なフレームと、壁面に対して回動自在となり、フレームを回動させるアームとを備えたオーニング装置において、フレームの内に、フレームに沿って設けられた自軸の中心に回動自在なシャフトと、アームと固定され、前記シャフト上を移動する移動部材と、フレームに対してシャフトの回動方向と同方向に開閉自在な複数のスラットとを備え、フレームの側面に溝部を形成し、溝部内をアームの端部が移動部材により移動することで、フレームが壁面に対して回動するような構成とする。
【０００８】
この場合は、移動部材は、シャフトの回動により前記フレームに沿って移動すると良い。
【０００９】
また、シャフトは、フレームに固定されたモータにより回動すると良い。
【００１０】
また、モータは、フレーム内の上部に固定されていると良い。
【００１１】
また、アームは窓枠に対して左右一対で設けられ、両アームを繋ぐ連結部を有すると良い。
【００１２】
また、溝部は、フレームの両側に設けられ、連結部の両端が両側の溝部に挿通されていると良い。
【発明の効果】
【００１３】
本発明によれば、このオーニング装置は、シャフトと移動部材によってアームを回動させてフレームの開閉を行う。このフレームの開閉時には、フレームに加わる外力に対してシャフトと移動部材の歯の噛み合いによってフレームの回動方向への動きを保持できるため、防犯性が向上できる。さらに、フレームには、シャフトの回動方向と同方向に開閉する複数のスラットが設けられており、従来のように防犯性を高めると共に、駆動手段と組み合わせることで採光や遮光の際に角度調整が可能である。この時、オーニング装置は、太陽の動きにあわせて角度調整が可能であり、スラットによって、太陽の東西（左右）への移動に対して調整し、フレームの開閉によって、太陽の高度変化に対して調整することができる。これにより、オーニングとしての採光や遮光の機能を備えつつ、防犯性に優れたオーニング装置を提供できる。
【００１４】
また、このオーニング装置は、シャフトが回転することで移動部材がフレームに沿って移動することで、アームを回動させる駆動手段がフレーム内に収められるため、フレームの外側からの防犯性を高めることができる。さらに、このオーニング装置は、シャフトと移動部材とが噛合しているため、シャフトの回転時はフレームが開閉し、シャフトの非回転時にはフレームが停止する。この時、シャフトの回転によってのみ、フレームの開閉が行われるため防犯性が高められる。
【００１５】
また、このオーニング装置は、フレームに固定されたモータによりシャフトが回転することで、モータの回転の有無でフレームの開閉を行うことが可能であり、モータは自動で回転も可能であるため、操作部分が隣設していなくても良いため、防犯性が高められる。
【００１６】
また、このオーニング装置は、モータがフレーム内の上部に固定されていることにより、フレーム内に駆動源を収容できるため防犯性を高めることができる。
【００１７】
また、このオーニング装置は、窓枠に対して左右一対で設けられたアームが連結部によってつながれているため、フレームの開閉の際に両アームが同時に回動できるため、フレームの開閉が円滑にでき、アームの剛性も強化できる。
【００１８】
また、このオーニング装置は、連結部分の両端が、フレームに設けられた溝部に挿通されているため、アームはフレームの支持が容易であり、フレームの開閉も円滑に行うことができるため。
【図面の簡単な説明】
【００１９】
【図１】本発明のオーニング装置の外観の斜視図（フレーム閉状態時）である。
【図２】図１に示すオーニング装置のスラットを外した状態での内部構造を示す斜視図（フレーム閉状態時）である。
【図３】図１に示すオーニング装置の構造を示した側面図である。
【図４】図１に示すオーニング装置のフレーム側部における駆動手段の構成を示す側面図である。
【図５】オーニング装置のフレーム開状態での外観を示す斜視図である。
【図６】オーニング装置のフレーム開状態での内部構造を示す斜視図である。
【発明を実施するための形態】
【００２０】
本発明の実施形態に係わるオーニング装置１の構成について、図１〜図３を用いて説明する。図１はオーニング装置１の外観の斜視図を示し、図２は図１に示すオーニング装置１の内部構造を示す斜視図である。図３はオーニング装置１の内部構造の側面図を示している。
【００２１】
図１に示されるように、オーニング装置１は、壁面１１に設けられた窓枠１２の外側に取り付けられている。このオーニング装置１は、面格子構造として回動自在な複数の長方形状のスラット３０が枠状のフレーム２０の内部に設けられている。このスラット３０は、図１において垂直方向に延びる縦型の形状を成している。また、複数のスラット３０は、フレーム２０内に設けられた回動手段（図示せず）によって、一体となって回動する。
【００２２】
図２より、このオーニング装置１の内部構造について説明する。フレーム２０の上部２０ａの少なくとも両端には、フレーム２０の支点となる取付部２１が設けられている。このフレーム２０の上部２０ａの両端より内側に設けられた一対の取付部２１は、壁面１１の窓枠１２の上部に設けられた被取付部２２ａに対して回動自在に連結軸２３によって軸支されている。このフレーム２０の側部２０ａには、閉状態時に垂直方向に長手の溝部２４が左右一対で設けられている。さらに、フレーム２０上部２０ａに備えられたモータ４１によって駆動する駆動手段４０がフレーム２０の片側に設けられている。また、このオーニング装置１は、壁面１１の窓枠１２の両側部に一対のアーム５０が設けられている。このアーム５０は、一端にアーム同士を連結する連結部５１が取り付けられており、他端に窓枠１２の両側部に設けられた被取付部２２ｂにそれぞれ回動自在に取り付けられている。さらに、この連結部５１の一端が、後述する駆動手段４０と機械的に連結している。また、この連結部５１の両端部５１ａ（アーム端部）は、フレーム２０の側部２０ａに設けられた溝部２４に摺動自在に保持される。これにより、フレーム２０は、連結部５１を介してアーム５０によって支持される構造となっている。また、駆動手段４０は、フレーム２０の上部２０ａに備え付けられたモータ４１の駆動によって回動するシャフト４２がフレーム２０の側面と平行にフレーム２０の上部２０ａからフレーム２０の下部２０ｃにかけて設けられ、フレーム２０の下部２０ｃに設けられた軸受け４３により回転可能に保持されている。さらに、図２及び図３より、このシャフト４２は、スクリュー形状を成しており、このシャフト４２を昇降できる長方体を呈するナット４４（移動部材）が設けられている。このナット４４の下面には、アーム５０に連結されている連結部５１を回動自在に保持するシャフト４２の軸上にブラケット４５が固定されている。これらの機構は、フレーム２０内に収容できるため、オーニング装置１を小型化することも容易であり、駆動手段４０の確認が外部から困難であるため、オーニング装置１の防犯性の向上にも繋がる。
【００２３】
このオーニング装置１の操作は、外部にある駆動手段４０をスイッチ（例えば、リモコン）等により駆動させる操作部（図示せず）等により開閉操作が可能である。また、操作部は、モータ４１にセンサ（図示せず）を取り付けて図示しない受信部にて信号を受信して遠隔操作を行うことで駆動手段４０による開閉操作を可能にしても良い。
【００２４】
次に、駆動手段４０について、図４を用いて説明する。図４は、内部構造のフレーム２０側部２０ａにおける駆動手段４０の側面図を示している。
【００２５】
図４より、この駆動手段４０は、ウォームギア機構４６を用いている。フレーム２０の上部２０ａに取り付けられたモータ４１によって回動するウォーム（ねじ歯車）と、ウォームに噛み合うことで回動するウォームホイール（はす歯歯車）とで構成されており、ウォームホイールの軸中心にシャフト４２が設けられている。駆動手段４０のウォームホイールとフレーム２０の上部２０ａとの間には、シャフト４２を軸受け（図示せず）によって回動自在に保持するスペーサー４７が設けられている。したがって、シャフト４２は、スペーサー４７の軸受けとフレーム２０の下部２０ｃに設けられた軸受け４３とで支持され、シャフト４２と噛合するウォームギア機構４６のウォームホイールとウォームとの噛み合い位置決めを行うことができる。また、シャフト４２に取り付けられたナット４４は、ブラケット４５を介して連結部５１と連結している。これにより、ナット４４がシャフト４２によって回動することがないため、シャフト４２が回転した際に、ナット４４は回転せずにシャフト４２に対して昇降することが可能となる。また、シャフト４２とナット４４とは、互いの歯によって噛合しているため、シャフト４２が回転しない場合は、ナット４４が動くことはない。よって、フレーム２０に対して外力が作用しても、ナット４４の昇降を抑制できるため、フレーム２０の回動も抑制でき、外力に対する防犯性を向上することができる。さらに、ブラケット４５は、連結部５１を回動自在に保持し、ナット４４に対してねじ４８（またはピン）によって取り付けられている。このブラケット４５は連結部５１を保持する保持部４５ａとナット４４へ装着する装着部４５ｂとで構成されている。この保持部４５ａは連結部５１を挟み込むように保持し、装着部４５ｂをねじ４８によって締結するため、連結部５１が回動しても十分にナット４４との固定を維持することが可能である。
【００２６】
次に、オーニング装置１の動作について、図１、図２及び図５から図６を用いて説明する。図５は、オーニング装置１の外観の斜視図（フレーム２０開状態時）を示し、図６はオーニング装置１の内部構造の斜視図（フレーム２０開状態時）を示している。図１及び図２はフレーム２０の閉状態を示している。
【００２７】
図１及び図２より、このオーニング装置１は、図２に示されるように連結部５１が溝部２４のフレーム２０の下部２０ｃ側にある時、フレーム２０は閉状態（壁面と平行な状態）となっている。このフレーム２０が閉状態の際は、ブラケット４５を介して連結部５１に取り付けられているナット４４に関してもシャフト４２のフレーム２０の下部２０ｃ側にある。図５及び図６より、オーニング装置１は、駆動手段４０のモータ４１の一方向の回転によってシャフト４２が回転することでナット４４が上昇する。これにより、オーニング装置１は、ナット４４の上昇と共にナット４４に固定される連結部５１も一緒になって移動し、この連結部５１を介してアーム５０が水平位置となるように回動する。そして、連結部５１を介してアーム５０によって支持されているフレーム２０は、アーム５０とともに開状態へと回動できる。この時、連結部５１は、ブラケット４５に回動自在に支持されているため、ナット４４の動きに合せて滑らかにアーム５０を回動させることができる。さらにモータ４１を停止した際、開状態及び閉状態の両状態にともにナット４４及びシャフト４２の移動は、ナット４４及びシャフト４２に形成された歯の噛み合いによって係止される。このため、オーニング装置１は、フレーム２０に外部から力が加わった際に、フレーム２０の状態を保持することが可能であり、防犯対策として有効である。また、オーニング装置１に設けられた複数の縦型のスラット３０が、回動手段（図示せず）によって、自軸の中心に回動自在なシャフトの回動方向と同方向に一体となって回動する。このオーニング装置１は、スラット３０を設けることで防犯機能を付加することができる。さらに、この縦型スラット３０の動きは、フレーム２０の回動と組み合わせることで、太陽の移動（高度及び東西又は左右への移動）に追従した角度調整を行う
【００２８】
また、このオーニング装置１は、モータ４１を逆回転させると、上記とは逆の動作を行いフレーム２０を開状態から閉状態にできることは言うまでもない。
【００２９】
以上、実施例の構成について説明したが、本発明はこれに限定されるものではなく、以下に示す態様に変更してもよい。
【００３０】
・駆動手段４０は、モータ４１の回転によってシャフト４２を回転させる構造に限定する必要はない。この場合、例えば、手動で回転させる回転部材を用いてシャフト４２を回転させても良い。
【００３１】
・スラット３０の回動手段は、例えば、ラックとピニオンによる回動方法やシャフトとナットによる回動方法を用いても良い。
【００３２】
・フレーム２０の両端に設けられた取付部２１及び被取付部２２ａは、連結軸２３によって同時に連結することに限定されること無く、ピン等で回動自在に個別で連結しても良い。
【符号の説明】
【００３３】
１  オーニング装置
２０  フレーム
２４  溝部
３０  スラット
４１  モータ
４２  シャフト
４４  ナット（移動部材）
５０  アーム
５１  連結部
５１ａ  端部（アームの端部）
【図１】
0005740862.tif 000002
【図２】
0005740862.tif 000003
【図３】
0005740862.tif 000004
【図４】
0005740862.tif 000005
【図５】
0005740862.tif 000006
【図６】
0005740862.tif 000007